(57)【要約】【課題】  ボトル商品にも使用が可能であるが、紙製の各種飲料パッケージ商品、特に、頂部に傾斜面が形成されたパッケージ商品に最適な商品販売促進用具及び該用具を有する商品を提供する。【解決手段】  裏面に接着剤２が塗布され該接着剤面にセパレータ３が貼着された袋体１と、該袋体１の内部に収容される販売促進部材４及び告知物５からなり、好ましくは、前記販売促進部材４がおまけ品であり、前記告知物５が広告チラシである商品販売促進用具。【選択図】図１
0003123203.tif 000002
【実用新案登録請求の範囲】
【請求項１】
裏面に接着剤が塗布され該接着剤面にセパレータが貼着された袋体と、該袋体の内部に封入される販売促進部材及び告知物とからなる商品販売促進用具。
【請求項２】
前記袋体が透明フィルムであることを特徴とする請求項１に記載の商品販売促進用具。
【請求項３】
前記販売促進部材がおまけ品であることを特徴とする請求項１又は２に記載の商品販売促進用具。
【請求項４】
前記告知物が広告チラシであることを特徴とする請求項１、２又は３に記載の商品販売促進用具。
【請求項５】
裏面に接着剤が塗布され該接着剤面にセパレータが貼着された袋体と、該袋体に収容された販売促進部材及び告知物とからなる商品販売促進用具の前記セパレータが剥離されて、パッケージの頂部に形成された傾斜面に前記袋体が貼着されてなることを特徴とする商品。
【考案の詳細な説明】
【技術分野】
【０００１】
本考案は、商品あるいは該商品のパッケージに貼付して、商品の販売量の増加を図るための商品販売促進用具及び該用具を有する商品に関する。
【背景技術】
【０００２】
従来、ボトル類用販促品の収納具として、ボトル商品の首部に吊り下げるものが提案されている（例えば、特許文献１参照）。該ボトル類用販促品の収納具は、可撓性のシートの長手方向の一辺に内周に放射状に複数のスリットを刻設したボトル類の首部を挿通させる円孔を形成し、さらに販促品を収納した袋状収納部がボトル類胴部の外周より膨出せず、搬送や収納、陳列時に邪魔にならないように構成したものである。
【特許文献１】特開２００４−１８２３４１号公報
【考案の開示】
【考案が解決しようとする課題】
【０００３】
本考案は、前記ボトル商品にも使用が可能であるが、紙製の各種飲料パッケージ商品、特に、頂部に傾斜面が形成されたパッケージ商品に最適な商品販売促進用具及び該用具を有する商品を提供することを目的とする。
【課題を解決するための手段】
【０００４】
前記目的を達成するために、本考案は、裏面に接着剤が塗布され該接着剤面にセパレータが貼着された袋体と、該袋体の内部に封入される販売促進部材及び告知物とからなる商品販売促進用具である（請求項１）。
【０００５】
前記本考案に係る商品販売促進用具は、使用される商品に合わせて、予め、前記袋体の大きさ、販売促進部材及び告知物の大きさ等が選定される。そして、前記セパレータを剥離して、商品あるいは該商品のパッケージに貼付して使用される。
【０００６】
顧客は、商品の他に、本考案に係る前記商品販売促進用具が貼付されていることから、商品にプラスされたサービスを認識して商品を買い求める。つぎに、顧客によって、前記商品販売促進用具が開封され、販売促進部材の獲得のほか、告知物が顧客の目に触れ、商品の詳細及び広告機能等により販売促進効果が得られるものである。
【０００７】
本考案の実施の一形態は、前記袋体が透明フィルムであることを特徴とする（請求項２）。すなわち、袋体を透明フィルムとすれば、袋体の内部に封入された販売促進部材及あるいは告知物を外部から透視することができ、顧客の注意を引くように内部に前記販売促進部材及び告知物を配置することができるとともに、柔軟性を有するため、陳列時等において隣接する商品等を損傷することがないものである。
【０００８】
本考案の実施の一形態は、前記販売促進部材がおまけ品であることを特徴とする（請求項３）。おまけ品としては、容積をとらない各種の小物グッズ、ポイントカード、割引クーポンなど、顧客に少なからず利益を与えるものが選択される。
【０００９】
本考案の実施の一形態は、前記告知物が広告チラシであることを特徴とする（請求項４）。広告チラシとしては、当該商品の説明及び広告のほか、異なる取扱商品あるいは企業の広告であってもよく限定されない。
【００１０】
本考案の実施の一形態は、前記商品販売促進用具、すなわち、裏面に接着剤が塗布され該接着面にセパレータが貼着された袋体と、該袋体に封入された販売促進部材及び告知物とからなる商品販売促進用具の前記セパレータが剥離され、パッケージの頂部に形成された傾斜面に前記袋体が貼着されてなることを特徴とする商品である（請求項５）。
【００１１】
前記頂部に傾斜面が形成されたパッケージとしては、市場に提供されている紙製の各種飲料のパッケージが一般であり、その頂部中央が山形に形成され、その両側に傾斜面が形成されて構成されているものである。
【００１２】
前記パッケージの傾斜面に、本考案に係る商品販売促進用具の前記接着剤面を貼付すると、該商品の陳列、収納、搬送時に邪魔になることがなく、また、商品開封の邪魔になることもなく、極めて好都合である。
【００１３】
なお、前記商品販売促進用具は、商品製造時に商品に貼付してもよいが、好ましくは、販売店等において、展開期間、展開場所等を限定した小規模数量での展開に有効である。
【考案の効果】
【００１４】
本考案の商品販売促進用具によれば、簡単に、商品に後付け貼付することができ、商品の販売量の増加に寄与することができる。また、前記本考案の商品販売促進用具を有する商品は、その陳列、収納、搬送時、さらにその開封時に前記本考案の商品販売促進用具が邪魔になることがない効果が得られる。
【考案を実施するための最良の形態】
【００１５】
以下に、本考案の実施形態を、図面を参照して詳細に説明する。図１は、本考案を説明する分解斜視図である。
【００１６】
図中、１は、裏面に接着剤２が塗布され、該接着剤面にセパレータ３が貼着された透明プラスチックフィルムからなる袋体である。また、図中、４は、容積をとらない各種の小物商品、ポイントカード、割引クーポン等の販売促進部材であり、５は、広告チラシ等の告知物である。
【００１７】
また、６は、紙製の飲料パッケージであり、頂部中央が山形７に形成され、その両側に傾斜面８、８が形成されている。
【００１８】
本考案の前記商品販売促進用具Ｓは、前記袋体１、販売促進部材４及び告知物５からなり、該販売促進部材４及び告知物５が、図示しない開口部から前記袋体１の内部に封入されて使用される。
【００１９】
すなわち、前記袋体１の接着剤２面に貼着されたセパレータ３が剥離されて、好ましくは、前記飲料パッケージ６の前記傾斜面８に貼付されて使用される。そして、前記状態にあっては、商品の陳列、収納、搬送時に前記商品販売促進用具が邪魔になることがなく、同時に、商品の開封時にも邪魔になることがないものである。
【産業上の利用可能性】
【００２０】
本考案に係る商品販売促進用具は、商品製造時に商品に貼付してもよいが、販売店等において、展開期間、展開場所等を限定した小規模数量での展開に利用することができ有効である。
【図面の簡単な説明】
【００２１】
【図１】本考案を説明する分解斜視図である。
【符号の説明】
【００２２】
１  袋体
２  接着剤
３  セパレータ
４  販売促進部材
５  告知物
６  飲料パッケージ
【図１】
0003123203.tif 000003